(57)【要約】【課題】より簡易な構成ながら手軽に正確に合焦したマクロ撮影を実行する。【解決手段】通常撮影とマクロ撮影とを切り換えて被写体を撮像するモータ21、レンズ光学系22及びＣＣＤ23と、撮像している画像をリアルタイムでモニタ表示する表示部17と、マクロ撮影での撮像を指示するマクロモードキー14と、このマクロモードキー14での指示に応じて被写体の合焦位置の目安となる案内画像を表示部17のモニタ画像中に合成表示する制御部32とを備える。【選択図】      図２
2005191978.tif 000002
【特許請求の範囲】
【請求項１】
通常撮影とマクロ撮影とを切り換えて被写体を撮像する撮像手段と、
この撮像手段が撮像している画像をリアルタイムでモニタ表示するモニタ表示手段と、
上記撮像手段によるマクロ撮影での撮像を指示するマクロ指示手段と、
このマクロ指示手段での指示に応じて被写体の合焦位置の目安となる案内画像を上記モニタ表示手段でのモニタ画像中に合成表示するガイド表示手段と
を具備したことを特徴とする携帯電子機器。
【請求項２】
上記ガイド表示手段が表示する案内画像は、特定の物体を模擬した輪郭線でなることを特徴とする請求項１記載の携帯電子機器。
【請求項３】
上記ガイド表示手段は、モニタ画像中に合成表示する案内画像の位置を移動可能としたことを特徴とする請求項１記載の携帯電子機器。
【請求項４】
上記ガイド表示手段は、予め用意した複数の案内画像の中の１つを選択的に表示することを特徴とする請求項１記載の携帯電子機器。
【請求項５】
上記ガイド表示手段は、被写体の合焦範囲の目安となる最近位置と最遠位置の案内画像を区別して表示することを特徴とする請求項１記載の携帯電子機器。
【請求項６】
上記ガイド表示手段は、上記最近位置と最遠位置で区別する案内画像の表示形態を選択可能としたことを特徴とする請求項５記載の携帯電子機器。
【請求項７】
通常撮影とマクロ撮影とを切り換えて被写体を撮像する撮像機能と、この撮像機能により撮像している画像をリアルタイムでモニタ表示するモニタ表示機能とを有した携帯電子機器の撮影方法であって、
上記撮像機能によるマクロ撮影での撮像を指示するマクロ指示工程と、
このマクロ指示工程での指示に応じて被写体の合焦位置の目安となる案内画像を上記モニタ表示機能によるモニタ画像中に合成表示させるガイド表示工程と
を有したことを特徴とする撮影方法。
【請求項８】
通常撮影とマクロ撮影とを切り換えて被写体を撮像する撮像機能と、この撮像機能により撮像している画像をリアルタイムでモニタ表示するモニタ表示機能とを有した携帯電子機器に内蔵したコンピュータが実行するプログラムであって、
上記撮像機能によるマクロ撮影での撮像を指示するマクロ指示ステップと、
このマクロ指示ステップでの指示に応じて被写体の合焦位置の目安となる案内画像を上記モニタ表示機能によるモニタ画像中に合成表示させるガイド表示ステップと
をコンピュータに実行させることを特徴とするプログラム。
【発明の詳細な説明】
【技術分野】
【０００１】
本発明は、マクロ撮影機能を有するデジタルカメラやカメラ付き携帯電話機等に好適な携帯電子機器、撮影方法及びプログラムに関する。
【背景技術】
【０００２】
従来、例えば固定焦点式の光学レンズ系を有するカメラで、通常の撮影範囲を外れた至近側の被写体を撮影するべく、上記光学レンズ系の一部の配置を切り換えて接写可能とした、所謂マクロ撮影機能を搭載したものがある。この種のマクロ撮影機能では、合焦できる撮影距離の範囲がきわめて狭く、被写体との撮影距離を正確に合わせるためにはそのカメラの習熟が必要となる。
【０００３】
また、一眼レフ方式ではない透視ファインダを備えたカメラでは、マクロ撮影時にパララックスが特に大きく発生するので撮影中心を判断することは困難である。その点を解決するものとして、カメラのファインダ視野内にマクロ撮影時の被写界深度の近端と遠端とを示すターゲット枠を形成し、且つカメラ前面にマクロ撮影時に合焦位置に可視光を照射する可視光照射部を設けるようにした技術が考えられている。（例えば、特許文献１）
【特許文献１】特開平０７−２９５０５９号公報
【発明の開示】
【発明が解決しようとする課題】
【０００４】
しかしながら、固体撮像素子で撮影している画像データを液晶モニタ部に表示しながらシャッタタイミングを探るようなデジタルカメラ等の撮像機能を有する電子機器では、電子的な一眼レフ方式としても考えられるように、原理的にパララックスが発生しないため、上記特許文献１に記載されているような技術を適用することができない。
【０００５】
加えて、上記特許文献１に記載されている技術は、カメラのファインダ視野内にターゲット枠を形成する一方で、カメラ前面の少なくとも２つの発光素子による可視光照射部を設けなければならないなど、マクロ撮影時のみに使用するための構成で装置全体が複雑化し、製造に要するコストが大幅に上昇してしまうという不具合がある。
【０００６】
本発明は上記のような実情に鑑みてなされたもので、その目的とするところは、デジタルカメラやカメラ機能付きの各種電子機器で、より簡易な構成ながら手軽に正確に合焦したマクロ撮影を実行することが可能な携帯電子機器、撮影方法及びプログラムを提供することにある。
【課題を解決するための手段】
【０００７】
請求項１記載の発明は、通常撮影とマクロ撮影とを切り換えて被写体を撮像する撮像手段と、この撮像手段が撮像している画像をリアルタイムでモニタ表示するモニタ表示手段と、上記撮像手段によるマクロ撮影での撮像を指示するマクロ指示手段と、このマクロ指示手段での指示に応じて被写体の合焦位置の目安となる案内画像を上記モニタ表示手段でのモニタ画像中に合成表示するガイド表示手段とを具備したことを特徴とする。
【０００８】
請求項２記載の発明は、上記請求項１記載の発明において、上記ガイド表示手段が表示する案内画像は、特定の物体を模擬した輪郭線でなることを特徴とする。
【０００９】
請求項３記載の発明は、上記請求項１記載の発明において、上記ガイド表示手段は、モニタ画像中に合成表示する案内画像の位置を移動可能としたことを特徴とする。
【００１０】
請求項４記載の発明において、上記請求項１記載の発明において、上記ガイド表示手段は、予め用意した複数の案内画像の中の１つを選択的に表示することを特徴とする。
【００１１】
請求項５記載の発明は、上記請求項１記載の発明において、上記ガイド表示手段は、被写体の合焦範囲の目安となる最近位置と最遠位置の案内画像を区別して表示することを特徴とする。
【００１２】
請求項６記載の発明は、上記請求項１記載の発明において、上記ガイド表示手段は、上記最近位置と最遠位置で区別する案内画像の表示形態を選択可能としたことを特徴とする。
【００１３】
請求項７記載の発明は、通常撮影とマクロ撮影とを切り換えて被写体を撮像する撮像機能と、この撮像機能により撮像している画像をリアルタイムでモニタ表示するモニタ表示機能とを有した携帯電子機器の撮影方法であって、上記撮像機能によるマクロ撮影での撮像を指示するマクロ指示工程と、このマクロ指示工程での指示に応じて被写体の合焦位置の目安となる案内画像を上記モニタ表示機能によるモニタ画像中に合成表示させるガイド表示工程とを有したことを特徴とする。
【００１４】
請求項８記載の発明は、通常撮影とマクロ撮影とを切り換えて被写体を撮像する撮像機能と、この撮像機能により撮像している画像をリアルタイムでモニタ表示するモニタ表示機能とを有した携帯電子機器に内蔵したコンピュータが実行するプログラムであって、上記撮像機能によるマクロ撮影での撮像を指示するマクロ指示ステップと、このマクロ指示ステップでの指示に応じて被写体の合焦位置の目安となる案内画像を上記モニタ表示機能によるモニタ画像中に合成表示させるガイド表示ステップとをコンピュータに実行させることを特徴とする。
【発明の効果】
【００１５】
請求項１記載の発明によれば、被写体の合焦位置の目安となる案内画像として、例えば５００円硬貨や名刺など、予め用意した既知の特定の物体がマクロ撮影での合焦位置にある場合の目安となる案内画像をモニタ画像中に合成表示させることで、非常に簡易な構成としながら手軽に正確に合焦したマクロ撮影を実行することが可能となる。
【００１６】
請求項２記載の発明によれば、上記請求項１記載の発明の効果に加えて、特定の物体の輪郭線を案内画像とすることで、必要以上にモニタ画像が煩雑にならず、撮影画像のモニタ表示を阻害してしまうのを防止できる。
【００１７】
請求項３記載の発明によれば、上記請求項１記載の発明の効果に加えて、ユーザがモニタ画像中の任意の位置まで案内画像の位置を移動させることで、ユーザの意図する構図を保ったまま案内画像を同時に合成表示させることができ、より正確に合焦位置を把握することができる。
【００１８】
請求項４記載の発明によれば、上記請求項１記載の発明の効果に加えて、その時ユーザが所持している物体の案内画像を表示させるなど、より適切な案内画像を選択してモニタ画像中に合成表示させることができる。
【００１９】
請求項５記載の発明によれば、上記請求項１記載の発明の効果に加えて、被写界深度に対応した合焦範囲を正確に把握することができる。
【００２０】
請求項６記載の発明によれば、上記請求項５記載の発明の効果に加えて、例えば最近位置と最遠位置で区別する案内画像を同時に表示するか、交互に表示するかを選択するなど、その時点でユーザが必要とする表示形態を選択することができる。
【００２１】
請求項７記載の発明によれば、被写体の合焦位置の目安となる案内画像として、例えば５００円硬貨や名刺など、予め用意した既知の特定の物体がマクロ撮影での合焦位置にある場合の目安となる案内画像をモニタ画像中に合成表示させることで、非常に簡易な構成としながら手軽に正確に合焦したマクロ撮影を実行することが可能となる。
【００２２】
請求項８記載の発明によれば、被写体の合焦位置の目安となる案内画像として、例えば５００円硬貨や名刺など、予め用意した既知の特定の物体がマクロ撮影での合焦位置にある場合の目安となる案内画像をモニタ画像中に合成表示させることで、非常に簡易な構成としながら手軽に正確に合焦したマクロ撮影を実行することが可能となる。
【発明を実施するための最良の形態】
【００２３】
（第１の実施の形態）  
以下本発明を固定焦点式の光学レンズ系を有するデジタルカメラに適用した場合の第１の実施の形態について図面を参照して説明する。
【００２４】
図１は、その外観構成を示すもので、図１（Ａ）が主に前面の、図１（Ｂ）が主に背面の構成を示す斜視図である。
【００２５】
このデジタルカメラ１は、略矩形の薄板状ボディの前面に、撮影レンズ２、セルフタイマランプ３、光学ファインダ窓４、マイクロホン部５、ストロボ発光部６、及びバーグリップ７を配設し、上面の（ユーザにとって）右端側には電源キー８及びシャッタキー９を配する。
【００２６】
バーグリップ７は、ユーザが撮影時にデジタルカメラ１を右手で筐体右側面側から把持した場合に右手中指、薬指、及び小指が確実に該筐体を把持できるように配設された金属製の帯状突起である。
【００２７】
また、電源キー８は、電源のオン／オフ毎に操作するキーであり、シャッタキー９は、撮影モード時に撮影を指示する一方で、メニュー選択等では設定／実行を指示する実行キーとしても機能するものとする。
【００２８】
また、デジタルカメラ１の背面には、モードスイッチ１０、スピーカ部１１、メニューキー１２、十字キー１３、マクロモードキー１４、光学ファインダ１５、ストロボチャージランプ１６、及び表示部１７を配する。
【００２９】
モードスイッチ１０は、例えばスライドキースイッチにより構成され、基本モードである撮影モード「Ｒ」と再生モード「Ｐ」とを切換える。
【００３０】
メニューキー１２は、各種メニュー項目等を選択させる際に操作する。
【００３１】
十字キー１３は、上下左右各方向へのカーソル移動用のキーが一体に形成されたものである。
【００３２】
マクロモードキー１４は、マクロ撮影モードの設定と解除とを指定する際に操作する。
【００３３】
光学ファインダ１５は、表示部１７を使用せずに被写体像を視認する際に使用する。
【００３４】
ストロボチャージランプ１６は、ストロボの発光動作状態をその色及び点滅／点灯等のパターンにより表示する。
【００３５】
表示部１７は、バックライト付きのカラー液晶パネルで構成されるもので、撮影モード時には電子ファインダとしてスルー画像のモニタ表示を行なう一方で、再生モード時には選択した画像を再生表示する。
【００３６】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３７】
次いで図２により上記デジタルカメラ１の電子回路構成を説明する。  
同図で、基本モードである撮影モードにおいては、所定のビデオレート、１／３０［秒］毎にモータ（Ｍ）２１の駆動により絞り位置や通常撮影／マクロ撮影に応じたレンズ位置が移動される、上記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３８】
この光電変換出力は、アナログ値の信号の状態でＲＧＢの各原色成分毎に適宜ゲイン調整された後に、サンプルホールド（Ｓ／Ｈ）回路２６でサンプルホールドされ、Ａ／Ｄ変換器２７でデジタルデータに変換され、さらにカラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００３９】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４０】
制御部３２は、ＣＰＵと、後述する撮影モード時のマクロモードキー１４の操作に対する処理を含む該ＣＰＵで実行される動作プログラムや輪郭線画像のデータを固定的に記憶したＲＯＭ、及びワークメモリとして使用されるＲＡＭ等により構成され、このデジタルカメラ１全体の制御動作を司る。
【００４１】
しかして制御部３２は、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４２】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１７に出力する。
【００４３】
この表示部１７は、上述した如くデジタルカメラ１の背面側に設けられるもので、撮影モード時にはモニタ表示部（電子ファインダ）として機能し、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４４】
このように表示部１７にその時点での画像がモニタ画像としてリアルタイムに表示されている、所謂スルー画像のモニタ表示状態で、静止画撮影を行ないたいタイミングで上記シャッタキー９を操作すると、トリガ信号を発生する。
【００４５】
制御部３２は、このトリガ信号に応じてその時点でＣＣＤ２３の上記ビデオレートにしたがった駆動を停止した後、自動露出処理を実行して適正な露出値を得、得た内容に基づいてレンズ光学系２２の絞りとＣＣＤ２３の露光時間を制御してあらためて撮像を実行させる。
【００４６】
こうして新たに得られた１フレーム分の画像データがＤＲＡＭ３１にＤＭＡ転送されて書込まれた後、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３６に書込み、このＪＰＥＧ回路３６でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４７】
そして、得た符号データを１画像のデータファイルとして該ＪＰＥＧ回路３６から読出し、このデジタルカメラ１の記録媒体として着脱自在に装着されているメモリカード３７か、メモリカード３７が装着されていない場合はこのデジタルカメラ１に固定的に内蔵される内蔵メモリ３８に書込む。
【００４８】
そして、１フレーム分の輝度及び色差信号の圧縮処理及びメモリカード３７または内蔵メモリ３８への全圧縮データの書込み終了に伴なって、制御部３２はビデオレートに基づいたＣＣＤ２３からＤＲＡＭ３１を経由して表示部１７でスルー画像をモニタ表示させる駆動を再開する。
【００４９】
また、制御部３２には、キー入力部３９、音声処理部４０、及びストロボ駆動部４１が接続される。
【００５０】
キー入力部３９は、上述した電源キー８、シャッタキー９、モードスイッチ１０、メニューキー１２、十字キー１３、及びマクロモードキー１４等から構成され、それらのキー操作に伴なう信号は直接制御部３２へ送出される。
【００５１】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成して上記メモリカード３７または内蔵メモリ３８へ送出する一方、音声の再生時にはメモリカード３７または内蔵メモリ３８から送られてきた音声データファイルの圧縮を解いてアナログ化し、上記スピーカ部（ＳＰ）１１を駆動して、拡声放音させる。
【００５２】
さらに音声処理部４０は、制御部３２からの制御に基づいて各種動作音、例えば上記シャッタキー９の操作に伴う擬似的なシャッタ音、他のキーの操作に伴うビープ音等も発生してスピーカ部１１より拡声放音させる。
【００５３】
ストロボ駆動部４１は、静止画像撮影時に図示しないストロボ用の大容量コンデンサを充電した上で、制御部３２からの制御に基づいて上記ストロボ発光部６を閃光駆動する。
【００５４】
しかるに、静止画像ではなく動画像の撮影時においては、シャッタキー９が操作され続けている間、上述した静止画データをＪＰＥＧ回路３６でデータ圧縮した静止画データファイルのメモリカード３７または内蔵メモリ３８への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩファイル）として設定し直す。
【００５５】
この時、音声付きの動画像の撮影が指定されている場合には、上述した如くマイクロホン部５からの入力により得た音声データファイルも関連付けて記録させる。
【００５６】
また、基本モードである再生モード時には、制御部３２がメモリカード３７または内蔵メモリ３８に記録されている画像データを選択的に読出し、ＪＰＥＧ回路３６で撮影モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、上記表示部１７で再生出力させる。
【００５７】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００５８】
次に上記実施の形態の動作について説明する。  
なお、以下に示す各処理は、基本的に制御部３２が予め固定記憶したプログラムに基づいて実行するものである。
【００５９】
図３は、基本モードである撮影モード時の、特にマクロモードキー１４の操作に伴うマクロ撮影モードでの動作について説明するものである。  
その動作当所においては、通常の撮影モードからマクロモードキー１４の操作がなされたか否かを繰返し判断することで、マクロ撮影モードが指示されるのを待機する（ステップＡ０１）。
【００６０】
そして、マクロモードキー１４が操作されたと判断した時点で、モータ２１によりレンズ光学系２２の位置の移動などマクロ撮影モードの設定を実行すると共に（ステップＡ０２）、デフォルトまたはユーザに予め選択された輪郭線画像を、被写体の合焦位置の目安となる案内画像として制御部３２内部のＲＯＭより読出して表示部１７のモニタ画像中に合成表示させる（ステップＡ０３）。
【００６１】
図４は、デフォルト設定されている、例えば５００円硬貨の輪郭線画像ＯＬ１が表示部１７の中央に表示されている状態を例示するものである。この場合、輪郭線画像ＯＬ１のデフォルトの表示位置は、例えば図示する如く表示部１７の画面中央であるものとする。
【００６２】
このようにモニタ画像中に輪郭線画像ＯＬ１が表示された状態で、他の輪郭線画像を選択するための操作がなされたか否か（ステップＡ０４）、十字キー１３が操作されたか否か（ステップＡ０５）、シャッタキー９が操作されたか否か（ステップＡ０６）、マクロモードキー１４が操作されたか否か（ステップＡ０７）を繰返し判断することで、これらの操作を待機する。
【００６３】
上記ステップＡ０４の他の輪郭線画像の選択は、マクロ撮影モード中に例えばメニューキー１２を操作し、その後に十字キー１３の上下方向キーを操作することで実行されるもので、当該キー操作が実行された際には、上記５００円硬貨の輪郭線画像ＯＬ１に代えて、例えば図５（Ａ）〜（Ｄ）に示すような他の輪郭線画像ＯＬ２〜ＯＬ５も選択可能であるものとする。
【００６４】
ここで図５（Ａ）は名刺の輪郭線画像ＯＬ２、図５（Ｂ）はチューリップの花冠の輪郭線画像ＯＬ３、図５（Ｃ）は「１／４３」スケールのミニチュアカーの輪郭線画像ＯＬ４、図５（Ｄ）はタバコのパッケージの輪郭線画像ＯＬ５をそれぞれ例示するものである。これら輪郭線画像ＯＬ２〜ＯＬ５は、上記５００円硬貨の輪郭線画像ＯＬ１と合わせて十字キー１３の上下キー操作により循環的に選択可能であるものとし、そのいずれかが選択されている状態でシャッタキー９を操作することにより、その設定を完了し（ステップＡ０８）、再び上記ステップＡ０２からの処理に戻る。
【００６５】
また、上記ステップＡ０５で十字キー１３が操作された場合には、その操作されたキーの内容に対応して表示部１７のモニタ画像中に表示している輪郭線画像の位置を上下左右いずれかに移動させるものとする（ステップＡ０９）。
【００６６】
図６は、上記図４に示した５００円硬貨の輪郭線画像ＯＬ１がモニタ画像中に合成表示されている状態で、十字キー１３を操作した場合の移動方向を示す。  
すなわち、十字キー１３の上方向キーを操作すると矢印Ｕに示すように、同下方向キーを操作すると矢印Ｄに示すように、同左方向キーを操作すると矢印Ｌに示すように、そして、右方向キーを操作すると矢印Ｒに示すようにそれぞれ５００円硬貨の輪郭線画像ＯＬ１が表示部１７の画面範囲内で移動する。
【００６７】
したがって、ユーザの所望する構図と、例えば実際にユーザが被写体近傍に並べて５００円硬貨を配置したとすればその位置とによって該輪郭線画像ＯＬ１を画面中で移動させ、モニタ画像中の５００円硬貨の大きさと該輪郭線画像ＯＬ１の大きさとが一致するようにすれば、このデジタルカメラ１のマクロ撮影モードに適した最適な合焦位置を得ることができる。
【００６８】
もちろん撮影したい被写体が５００円硬貨や図５（Ａ）〜（Ｄ）に示したような案内画像と同じものであってもよい。この場合、図４のように中央に表示されているとよい。
【００６９】
こうしてステップＡ０９で十字キー１３の操作に対応してモニタ画像中の輪郭線画像ＯＬ１（またはＯＬ２〜ＯＬ５のいずれか）の位置を移動させると、再び上記ステップＡ０２からの処理に戻る。
【００７０】
また、上記ステップＡ０７でシャッタキーが操作されたと判断した場合には、直ちにこのマクロ撮影モードで上述した如く撮像を実行し、得た１フレーム分の画像データをＪＰＥＧ回路３６にてデータ圧縮してファイル化した後にメモリカード３７または内蔵メモリ３８に記録させ（ステップＡ１０）、記録終了に伴なってスルー画像を輪郭線画像ＯＬ１（またはＯＬ２〜ＯＬ５のいずれか）と共にモニタ表示させる上記ステップＡ０２からの処理に戻る。
【００７１】
しかして、上記ステップＡ０７でマクロ撮影モード中に再度マクロモードキー１４が操作されたと判断した場合には、モータ２１によりレンズ光学系２２の位置の移動などマクロ撮影モードの設定を解除して通常の撮影モードに復帰すると共に（ステップＡ１１）、それまでモニタ画像中に合成表示していた輪郭線画像ＯＬ１（またはＯＬ２〜ＯＬ５のいずれか）を消去させ（ステップＡ１２）、再びマクロ撮影モードが指示されるのを待機するべく上記ステップＡ０１からの処理に戻る。
【００７２】
このように、マクロ撮影モードでの合焦位置にある場合の目安となる案内画像として、例えば５００円硬貨や名刺など、大きさが既知の特定の物体の画像を輪郭線画像ＯＬ１（またはＯＬ２〜ＯＬ５のいずれか）としてモニタ画像中に合成表示させるものとした。
【００７３】
これにより、実際にその輪郭線画像と同一の被写体を配置する場合は勿論正確に合焦位置を判断することができるが、配置しない場合であっても、モニタ画像中の輪郭線画像と目視する被写体との差異によりおおよその合焦位置を判断することができ、非常に簡易な構成としながら手軽に正確に合焦したマクロ撮影を実行することが可能となる。
【００７４】
また、案内画像としては、特定の被物体の例えば半透明の白色画像をモニタ画像中に合成表示するものとしてもよいが、モニタ画像が煩雑なものとなってしまうか、あるいは画像中の一部がつぶれて視認できなくなってしまうことも考えられる。
【００７５】
その点で、上記図４乃至図６にも示した如く特定の物体の輪郭線を案内画像とすることで、必要以上にモニタ画像が煩雑にならず、撮影画像のモニタ表示を阻害してしまうのを防止できる。
【００７６】
さらに、複数の案内画像の中から任意の１つを選択して表示させることができるため、その時点でマクロ撮影しようとしている被写体、あるいはユーザの所持物に対応した案内画像を選択するなど、より適切な案内画像を選択してモニタ画像中に合成表示させることができる。
【００７７】
また、ユーザの操作によりモニタ画像中の任意の位置まで案内画像の位置を移動させることができるようにしたことで、ユーザの意図する構図を保ったまま案内画像を同時に合成表示させることができ、より正確に合焦位置を把握することができる。
【００７８】
（第２の実施の形態）  
以下本発明をカメラ機能付きのＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の第２の実施の形態について図面を参照して説明する。
【００７９】
図７（Ａ），（Ｂ）は、この第２の実施の形態に係る携帯電話機５０の外観構成を示すもので、ヒンジ部５１を介在して２つの筐体５２，５３が一定の角度範囲内で回動自在に一体に構成された折りたたみ式となっており、図７（Ａ）が最大限に開いた状態の内面を、図７（Ｂ）が折りたたんだ状態の主として上部筐体５２の外面を示す。
【００８０】
図７（Ａ）に示すように上部筐体５２の内面には、受話器となるスピーカ５４及びメイン表示部５５が備えられる。  
一方、下部筐体５３の内面には、ダイヤルキー等を含む各種キー５６及び送話器となるマイクロホン５７が備えられる。
【００８１】
また、図７（Ｂ）に示すように、上部筐体５２の外面には、カメラ部５８、撮影ライト５９、及びサブ表示部６０が備えられる。さらに、下部筐体５３内にも延在されているアンテナ６１がヒンジ部５１の端部背面側より外部に突出形成される。
【００８２】
ここでカメラ部５８は、固定焦点式で通常の撮影モードとマクロ撮影モードとで内部のレンズを切換えるものとする。  
上記各種キー５６には、ダイヤルキーや電源キー、回線接続、回線切断等のキーと共に、カメラモードを設定するカメラキー５６ａ、シャッタキーとしても機能するセット（ＳＥＴ）キー５６ｂを備え、さらに上記ヒンジ部５１のアンテナ６１を備えていない側の側端面にシャッタキー５６ｃ、上記カメラ部５８での（デジタル）ズーム、露出補正値等を指示する、上記セットキー５６ｂを中心に位置したリングキー５６ｄ、特定の動作モード中には機能キーとしても動作するメールキー５６ｅを備える。
【００８３】
図８は、上記携帯電話機５０の回路構成を示すものである。同図で、上記アンテナ６１は最寄りの基地局のいくつかとＣＤＭＡ方式の通信を行ない、このアンテナ６１にＲＦ部７１を接続している。
【００８４】
このＲＦ部７１は、受信時にはアンテナ６１から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部７２へ出力する。
【００８５】
一方、ＲＦ部７１は送信時に、変復調部７２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部７５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ６１より輻射送信させる。
【００８６】
変復調部７２は、受信時にＲＦ部７１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部７３に出力する。
【００８７】
一方、変復調部７２は送信時に、ＣＤＭＡ部７３から送られてくるデジタル値のＩ・Ｑ信号をアナログ化した後に直交変調器でＯＱＰＳＫ変調してＲＦ部７１に送出する。
【００８８】
ＣＤＭＡ部７３は、受信時に変復調部７２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部７４に出力する。
【００８９】
一方、ＣＤＭＡ部７３は送信時に、音声処理部７４からの出力シンボルを拡散処理した後にデジタルフィルタで帯域制限をかけてＩ・Ｑ信号とし、変復調部７２に送出する。
【００９０】
音声処理部７４は、受信時にＣＤＭＡ部７３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）５４を拡声駆動させる。
【００９１】
一方、音声処理部７４は送信時に、上記マイクロホン（ＭＩＣ）５７から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部７３へ送出する。
【００９２】
しかして、上記ＲＦ部７１、変復調部７２、ＣＤＭＡ部７３、及び音声処理部７４に対して制御部７５を接続し、この制御部７５にＧＰＳレシーバ７６、画像撮影部７７、画像処理部７８、上記メイン表示部５５、上記サブ表示部６０、メモリカード７９、バイブレータ部８０、及びＬＥＤ駆動部８１を接続している。
【００９３】
ここで制御部７５は、ＣＰＵと、後述するカメラモードでのマクロ撮影動作等を含む各種動作プログラムを固定的に記憶したＲＯＭ、及びワークメモリとして使用されるＲＡＭ等で構成され、この携帯電話機５０全体の動作を制御する。
【００９４】
ＧＰＳレシーバ７６は、ＧＰＳアンテナ８２が受信する複数のＧＰＳ衛星からの測位情報により現在位置の緯度、経度、及び高度と正確な現在時刻とを算出し、制御部７５へ出力する。
【００９５】
画像撮影部７７は、制御部７５の制御の下に、上記カメラ部５８を構成する、モータ（Ｍ）８３により位置駆動される光学レンズ系８４の撮影光軸後方に配置されたＣＣＤ８５での撮影動作を制御し、撮影により得られる画像データをデジタル化して出力する。
【００９６】
画像処理部７８は、画像撮影部７７より得られる画像データを例えばＪＰＥＧ方式に基づいてデータ圧縮する一方で、受信した画像データのデータ圧縮を解いて伸長し、元のビットマップ状の画像データを得る。
【００９７】
メモリカード７９は、この携帯電話機５０に着脱自在に備えられるもので、自機で撮影した画像データや受信により得た画像データ等を記憶しておく。
【００９８】
バイブレータ部８０は、着信時等に予め設定された振動パターン及び振動強度で振動する。
【００９９】
ＬＥＤ駆動部８１は、上記撮影ライト５９を構成する高輝度白色ＬＥＤの駆動回路でなるものであり、必要によりカメラ部５８の撮影対象となる被写体方向に向けて補助光を照射する。
【０１００】
なお、上記メイン表示部５５及びサブ表示部６０は、いずれもバックライト付きの反射／透過型カラー液晶パネルとその駆動回路で構成され、バックライトを点灯して透過型液晶としての表示が可能である一方、見やすさは多少落ちるものの、バックライトを消灯して外光を用いた反射型液晶としての表示も可能であるものとする。
【０１０１】
また、図示はしないが、上記ヒンジ部５１には上部筐体５２と下部筐体５３の展開状態及び折りたたみ状態を検出するための機構を有するものとする。この検出機構からの情報により制御部７５は、カメラ部５８により画像を撮影しようとすべく各種キー５６のカメラキー５６ａを操作して移行するカメラモードにおいて、上記図７（Ａ）に示したように上部筐体５２と下部筐体５３を開いた展開状態では、この携帯電話機５０のユーザが自分以外の他者を撮影しようとする「相手撮り」を行なおうとしているものと判断し、サブ表示部６０での表示を停止してメイン表示部５５でカメラ部５８でのモニタ画像を表示させる。このとき、各種キー５６のセットキー５６ｂ及びシャッタキー５６ｃのいずれを操作しても画像の撮影を実行する。後述するマクロ撮影モードは、この上部筐体５２と下部筐体５３を開いた展開状態でのみ実行可能であるものとし、上記カメラキー５６ａの操作でカメラモードを設定した後に再度カメラキー５６ａを操作することにより、通常の撮影モードからマクロ撮影モードに移行することができるものとする。
【０１０２】
反対に、上記図７（Ｂ）に示したように上部筐体５２と下部筐体５３を閉じた折りたたみ状態では、この携帯電話機５０のユーザが自分自身を撮影しようとする「自分撮り」を行なおうとしているものと判断し、メイン表示部５５での表示を停止してサブ表示部６０でカメラ部５８でのモニタ画像を表示させる。このとき、シャッタキー５６ｃを操作することで画像の撮影を実行する。
【０１０３】
なお、この携帯電話機５０においても、上記第１の実施の形態のデジタルスチルカメラ１と同様に、静止画のみならず動画の記録と再生とが可能であるものとする。
【０１０４】
その場合、撮影により得た静止画データ及び動画データはいずれもメモリカード７９に記憶し、このメモリカード７９に記憶した内容を選択指示により任意にメイン表示部５５で再生出力することが可能であると共に、適宜電子メールの添付ファイルとして選択設定することで、通信相手にも送信することが可能であるものとする。
【０１０５】
次に上記実施の形態の動作について説明する。  
以下に示す各処理は、基本的に制御部７５が予め固定記憶されたプログラムに基づいて実行するものである。  
図９は、上記カメラキー５６ａの操作によりカメラモードが設定された状態で、主として再度のカメラキー５６ａの操作により通常の撮影モードからマクロ撮影モードに移行する場合の動作について説明するものである。  
その動作当所においては、通常の撮影モードからカメラキー５６ａの操作がなされたか否かを繰返し判断することで、マクロ撮影モードが指示されるのを待機する（ステップＢ０１）。
【０１０６】
そして、カメラキー５６ａの操作によりマクロ撮影モードが指示されたと判断した時点で、モータ８３により光学レンズ系８４の位置の移動などマクロ撮影モードの設定を実行すると共に（ステップＢ０２）、デフォルトまたはユーザに予め選択された輪郭線画像をその表示モードに合わせて、被写体の合焦位置の目安となる案内画像として制御部７５内部のＲＯＭより読出してメイン表示部５５でのモニタ画像中に合成表示させる（ステップＢ０３）。
【０１０７】
図１０は、携帯電話機５０を横に構えてメイン表示部５５を横長の画面とした状態で、デフォルト設定されている、例えば５００円硬貨の最近輪郭線画像ＯＬ１１ａ及び最遠輪郭線画像ＯＬ１１ｂがメイン表示部５５の中央に同時に表示されている様子を例示するものである。
【０１０８】
この場合、輪郭線画像ＯＬ１１ａ，１１ｂのデフォルトの表示位置は、例えば図示する如くメイン表示部５５の画面中央であるものとし、仮に被写体中に５００円硬貨が存在する場合に、モニタ画像中の当該硬貨の大きさがこれら２つの輪郭線画像ＯＬ１１ａ，１１ｂで示す範囲内の大きさとなっている状態であれば合焦範囲にあることを示している。
【０１０９】
このようにモニタ画像中に輪郭線画像ＯＬ１１ａ，１１ｂが表示された状態で、他の輪郭線画像を選択するための操作がなされたか否か（ステップＢ０４）、他の表示モードが選択されたか否か（ステップＢ０５）、シャッタキー９が操作されたか否か（ステップＢ０６）、マクロ撮影モードを解除する指示がなされたか否か（ステップＢ０７）を繰返し判断することで、これらの操作を待機する。
【０１１０】
上記ステップＢ０４で判断する他の輪郭線画像の選択は、マクロ撮影モード中に例えばメールキー５６ｅを操作して各種機能設定項目をメイン表示部５５に表示させ、その中から項目「他の輪郭線画像」を選択することで実行できるもので、当該キー操作が実行された際には、上記５００円硬貨の最近輪郭線画像ＯＬ１１ａ及び最遠輪郭線画像ＯＬ１１ｂに代えて、例えば名刺の最近輪郭線画像ＯＬ１２ａ及び最遠輪郭線画像ＯＬ１２ｂも選択可能であるものとする。
【０１１１】
図１１は、実際の名刺ＮＰを被写体としてマクロ撮影モードでモニタ画像中に表示させている状態で、名刺ＮＰの最近輪郭線画像ＯＬ１２ａ及び最遠輪郭線画像ＯＬ１２ｂを合成表示させている様子を示す。
【０１１２】
メイン表示部５５のモニタ画像中の名刺ＮＰの大きさが、これら２つの輪郭線画像ＯＬ１２ａ，１２ｂで示す範囲内の大きさに収まっている状態であれば合焦範囲にあることを示している。
【０１１３】
このように、他の輪郭線画像を選択するとメイン表示部５５中の輪郭線画像を切換設定し（ステップＢ０８）、再び上記ステップＢ０２からの処理に戻る。
【０１１４】
また、上記ステップＢ０５で判断する他の表示モードの選択は、マクロ撮影モード中に例えばメールキー５６ｅを操作して各種機能設定項目をメイン表示部５５に表示させ、その中から項目「他の表示モード」を選択することで実行できるもので、当該キー操作が実行された際には、輪郭線画像ＯＬ１１ａ，ＯＬ１１ｂ（またはＯＬ１２ａ，ＯＬ１２ｂ）の表示モードを切換える（ステップＢ０９）。
【０１１５】
すなわち、本実施の形態では輪郭線画像として合焦範囲の最近位置を示す最近輪郭線画像ＯＬ１１ａ（またはＯＬ１２ａ）と同最遠位置を示す最遠輪郭線画像ＯＬ１１ｂ（またはＯＬ１２ｂ）の２つを表示するものとしているが、これを上記図１０、図１１に示した如く同時に表示するのではなく、図１２に示すように一定時間、例えば２［秒］間隔で交互に表示するように切り換えるものである。こうして表示モードを切換設定すると、再び上記ステップＢ０２からの処理に戻る。
【０１１６】
また、上記ステップＢ０６でシャッタキーが操作されたと判断した場合には、直ちにこのマクロ撮影モードで上述した如く撮像を実行し、得た１フレーム分の画像データを画像処理部７８にてデータ圧縮してファイル化した後にメモリカード７９に記録させ（ステップＢ１０）、記録終了に伴なってスルー画像を輪郭線画像ＯＬ１１ａ，ＯＬ１１ｂ（またはＯＬ１２ａ，ＯＬ１２ｂ）と共にモニタ表示させる上記ステップＢ０２からの処理に戻る。
【０１１７】
しかして、上記ステップＢ０７でマクロ撮影モード中に再度カメラキー５６ａが操作されたと判断した場合には、モータ８３により光学レンズ系８４の位置の移動などマクロ撮影モードの設定を解除して通常の撮影モードに復帰すると共に（ステップＢ１１）、それまでモニタ画像中に合成表示していた輪郭線画像ＯＬ１１ａ，ＯＬ１１ｂ（またはＯＬ１２ａ，ＯＬ１２ｂ）を消去させ（ステップＢ１２）、再びマクロ撮影モードが指示されるのを待機するべく上記ステップＢ０１からの処理に戻る。
【０１１８】
このように、被写体の合焦範囲の目安となる輪郭線画像ＯＬとして、最近位置の輪郭線画像ＯＬ１１ａ（またはＯＬ１２ａ）と最遠位置の輪郭線画像ＯＬ１１ｂ（または１２ｂ）とを区別して表示するようにしたので、ユーザは被写界深度に対応した合焦範囲を正確に把握することができる。
【０１１９】
加えて、それら２つの輪郭線画像ＯＬ１１ａ，ＯＬ１１ｂ（またはＯＬ１２ａ，ＯＬ１２ｂ）は、同時に表示するか、交互に表示するかの表示形態をユーザが任意に選択可能としたので、その時点でユーザが必要とする表示形態を任意に選択することができる。
【０１２０】
なお、上記第２の実施の形態では、上記第１の実施の形態のようにモニタ画像中の輪郭線画像の位置を移動する点については説明しなかったが、第２の実施の形態においても２つの輪郭線画像ＯＬ１１ａ，ＯＬ１１ｂ（またはＯＬ１２ａ，ＯＬ１２ｂ）の位置を移動可能とすることは容易に可能である。その場合、当然ながら２つの輪郭線画像ＯＬ１１ａ，ＯＬ１１ｂ（またはＯＬ１２ａ，ＯＬ１２ｂ）は連動して画面中を移動することとなる。
【０１２１】
また、図１０では最近輪郭線画像ＯＬ１１ａと最遠輪郭線画像ＯＬ１１ｂは同じ実線で表示されているが、視覚的にわかりやすいように色を変えて表示するようにしてもよいし、図１１に示す最近輪郭線画像ＯＬ１２ａと最遠輪郭線画像ＯＬ１２ｂのように点線などで線の種類を変えて表示してもよい。さらに図１１の最近輪郭線画像ＯＬ１２ａと最遠輪郭線画像ＯＬ１２ｂの色を変えて表示するようにしてもよい。
【０１２２】
さらに、表示モードを切り換えると、図１２に示すように一定時間、例えば２［秒］間隔で交互に表示するように切り換えるようにしたが、ユーザが所定のキーを操作する度に図１２の（Ａ）と（Ｂ）を交互に表示するようにしてもよい。
【０１２３】
また、上記第１及び第２の実施の形態は、いずれもカメラ部に固定焦点式の光学レンズ光学系を有するものとして説明したが、光学レンズの移動により合焦位置をリニアに可変できるＡＦ（自動合焦）機能を有する光学レンズ系を用いたカメラ部でも同様に実施可能であることは言うまでもない。
【０１２４】
さらに、本発明は第１の実施の形態でのデジタルカメラや第２の実施の形態でのカメラ機能付きの携帯電話機に限らず、カメラ機能を有し、光学レンズ系の一部を切り換えてマクロ撮影を行なうような全ての携帯電子機器に適用することができる。
【０１２５】
その他、本発明は上記実施の形態に限らず、その要旨を逸脱しない範囲内で種々変形して実施することが可能であるものとする。
【０１２６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２７】
【図１】本発明の第１の実施の形態に係るデジタルカメラの主として前面と背面の外観構成を示す斜視図。
【図２】同実施の形態に係るデジタルカメラの電子回路構成を示すブロック図。
【図３】同実施の形態に係る主としてマクロ撮影モードでの処理内容を示すフローチャート。
【図４】同実施の形態に係る表示部画面での案内画像の表示状態を例示する図。
【図５】同実施の形態に係る他の案内画像を例示する図。
【図６】同実施の形態に係る表示部画面での案内画像の表示状態と移動方向とを例示する図。
【図７】本発明の第２の実施の形態に係る携帯電話機の開閉両状態の外観構成を示す図。
【図８】同実施の形態に係る携帯電話機の電子回路構成を示すブロック図。
【図９】同実施の形態に係る主としてマクロ撮影モードでの処理内容を示すフローチャート。
【図１０】同実施の形態に係る表示部画面での案内画像の表示状態を例示する図。
【図１１】同実施の形態に係る他の案内画像を例示する図。
【図１２】同実施の形態に係る案内画像の他の表示モードを例示する図。
【符号の説明】
【０１２８】
１…デジタルカメラ、２…撮影レンズ、３…セルフタイマランプ、４…光学ファインダ窓、５…マイクロホン部（ＭＩＣ）、６…ストロボ発光部、７…バーグリップ、８…電源キー、９…シャッタキー、１０…モードスイッチ（ＳＷ）、１１…スピーカ部（ＳＰ）、１２…メニューキー、１３…十字キー、１４…マクロモードキー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…ＪＰＥＧ回路、３７…メモリカード、３８…内蔵メモリ、３９…キー入力部、４０…音声処理部、４１…ストロボ駆動部、５０…携帯電話機、５１…ヒンジ部、５２…上部筐体、５３…下部筐体、５４…スピーカ（ＳＰ）、５５…メイン表示部、５６…各種キー、５６ａ…カメラキー、５６ｂ…セット（ＳＥＴ）キー、５６ｃ…シャッタキー、５６ｄ…リングキー、５６ｅ…メールキー、５７…マイクロホン（ＭＩＣ）、５８…カメラ部、５９…撮影ライト、６０…サブ表示部、６１…アンテナ、７１…ＲＦ部、７２…変復調部、７３…ＣＤＭＡ部、７４…音声処理部、７５…制御部、７６…ＧＰＳレシーバ、７７…画像撮影部、７８…画像処理部、７９…メモリカード、８０…バイブレータ部、８１…ＬＥＤ駆動部、８２…ＧＰＳアンテナ、８３…モータ（Ｍ）、８４…光学レンズ系、８５…ＣＣＤ、ＮＰ…名刺、ＯＬ１〜ＯＬ５，ＯＬ１１ａ，ＯＬ１１ｂ，ＯＬ１２ａ，ＯＬ１２ｂ…輪郭線画像。
【図１】
2005191978.tif 000003
【図２】
2005191978.tif 000004
【図３】
2005191978.tif 000005
【図４】
2005191978.tif 000006
【図５】
2005191978.tif 000007
【図６】
2005191978.tif 000008
【図７】
2005191978.tif 000009
【図８】
2005191978.tif 000010
【図９】
2005191978.tif 000011
【図１０】
2005191978.tif 000012
【図１１】
2005191978.tif 000013
【図１２】
2005191978.tif 000014